(57)【要約】【課題】  藻類の養殖事業において、フノリ類やフクロノリ、マツモなどは海の浅瀬などで成長するが、これまで海岸で投石事業などの方法で増養殖が行われている事例はあるが、陸上で養殖事業が行なわれる事例は無いものと思われるが、陸上及び海でフノリ類やフクロノリ、マツモなどの増養殖を可能とする方法を確立することが課題である。【解決手段】  藻類の中でフノリ類やフクロノリ、マツモなどは、養殖の生育過程においては、養殖作業は比較的容易で、成長しても大きくならないことから養殖に適した藻類で、最小の養殖面積で養殖を可能とする養殖に適した海藻類である。  養殖の方法としては、ロープにフノリ類やフクロノリ、マツモなどの胞子を直接付着、又は胞子を付着させた細いロープを養殖用ロープに巻きつける方法などで胞子の付着率を高めて養殖を行い、養殖技法の確立を図り、陸地での増養殖を可能とする方法、手段である。【特許請求の範囲】
【請求項１】
フノリの増殖技法は、投石、コンクリート面造成、施肥、移植などの方法が古くから普及し、今日においてそのような技術的技法で行われている。
本発明は安定的な供給を図るため、増養殖の方法をこれまでの方法や手段の形を変えて行うことにより、養殖の方法を確立させることに関するものであり、海でフノリ類やフクロノリ、マツモなどの海藻の胞子をロープに直接付着させ、付着率を高めて生育、養殖を行うという、養殖用ロープによるフノリ類やフクロノリ、マツモなどの養殖を行う方法である。
【請求項２】
陸地においてフノリ類やフクロノリ、マツモなどの海藻の養殖を行うため、フノリ類やフクロノリ、マツモなどの胞子をロープに直接付着させ、付着率を高めて生育、養殖を行うために海から海水を直接取水した人工的養殖施設を整備し、陸上養殖を行う方法である。
この方法は最も確実に大規模養殖を可能とし、大幅に増産を図るものであり養殖フノリ類やフクロノリ、マツモなどのより安定的な増産を図るための陸上での増養殖の方法である。
【請求項３】
養殖用ロープによるフノリ類やフクロノリ、マツモなどの養殖を、波などによる破損を防ぎ、安定的な養殖を行うため、フノリ類やフクロノリ、マツモなどの胞子を付着させた太いロープを網目状にして、岩やブロックに巻き付けるなど固定して養殖を行う方法である。
【発明の詳細な説明】
【技術分野】
【０００１】  紅藻類フノリ科フノリ属フノリ（以下、フノリ類という。）は古くから織物などの糊の原料として用いられていた。近年においては、海藻サラダや刺身のツマ、味噌汁などの食用や化粧品の原料として利用が図られるなど、その需要も増加傾向にある。
また、渇藻類カヤモノリ科フクロノリ（以下、フクロノリという。）はガムの原材料として活用され、渇藻類イソガワラ科マツモ（以下、マツモという。）は食用として活用されている。
本考案は、フノリ類やフクロノリ及びマツモなどの海藻を海や海岸に近い陸地などで増養殖を行うことにより、より安定的な養殖による生産を可能とするため、フノリ類やフクロノリ、マツモなどの胞子を養殖用ロープに付着させて行う養殖の方法に関するものである。
【背景技術】
【０００２】  フノリの増殖技術の発祥は、１８９２年頃から青森県下北郡下風呂で、フクロフノリを対象とした投石事業が実施されている。
その方法は、フノリ採取後の７月から８月に山石を投石するもので、翌年４月から５月に成長し、漁業調整を行い、採取を行っていた。
採取量は年産１．２から２．２トンであったとされている。
増殖技法は、一般的には磯掃除後、投石、コンクリート面造成、施肥、移植などが古くから普及し、現在においてもこれまで同様に従来の技術的技法で行われている。
【先行技術文献】
【特許文献】
【０００３】
【特許文献１】特公平０２−４８２０８号公報
【非特許文献】
【０００４】
【非特許文献１】鹿児島水産試験。要覧  第３編  増・養殖部門
【非特許文献２】北村慧光（フノリ健康法研究所所長）、フノリ健康法百科
【発明の概要】
【発明が解決しようとする課題】
【０００５】  フノリが活用される分野がこれまでは、その多くが原料の一部としての位置づけから、食用としての活用，更には化粧品などの薬品工業原料としての活用へとその利用の幅が広がってきている。
また、フクロノリはガムの原材料として、マツモは食用などに活用されている。
近年、フノリやフクロノリなどの海藻自体が繁殖する海岸の岩場が温暖化現象などにより、磯焼け状況が続いており、繁茂の範囲が狭まってきている。
これらの状況から生産量も年々減少傾向にあり、その生産量を高めることが本考案が解決しようとする課題である。
【課題を解決するための手段】
【０００６】  フノリ類やフクロノリ、マツモなどの海藻が広範囲の分野において活用されるためには、安定的な供給が求められる。
その課題を解決するためには、養殖技法の確立をどのようにして図るかということであり、また、産業的活用を図るためにはフノリ類やフクロノリ、マツモなどの海藻の安定的生産体制の確立のみならず、商品としての活用分野や最小のコストでの生産の確立が求められる。
フノリ類、フクロノリ、マツモなどの海藻は成長してもコンブ、ワカメなどのように大きくならない海藻類であり、これらの紅藻や渇藻は成長しても大きくならないのが特徴ともいえる。
褐藻のなかでも、マツモは大きさが８ｃｍ〜２５ｃｍ位、フクロノリは大きさが５ｃｍ〜２０ｃｍ位にしか成長しない。また、紅類のフノリ類については大きさが２ｃｍ〜２０ｃｍ位にしか成長しない。
これに反して、こんぶ、ワカメは大きさが約１ｍ以上にも成長する。
コンブ、ワカメが海中の比較的深いところで成長するのに対し、フノリ類などは海岸の浅瀬で成長するものである。
これらの海藻の特性を考え、その特性を活かした養殖の方法を確立させる必要がある。
このようなことから、様々な課題を解決するための手段として、フノリ類やフクロノリマツモなどの安定的な供給を図るため養殖用ロープにフノリ類やフクロノリ、マツモなどの胞子を直接付着させる養殖技法を確立することが課題を解決するための有効な手段となる。
【発明の効果】
【０００７】  フノリ類やフクロノリ、マツモなどの海藻は、その採取期間が比較的少ない日数で済むことから、その地域における貴重な資源として活用されている。
しかし、長年に経る磯焼けや温暖化現象などにより、年々生産量が減少しており、本考案によるフノリ類やフクロノリ、マツモなどの海藻の養殖技法の確立は将来的に安定的な供給を可能とすることにつながる。
また、フノリ類などの胞子の採取は比較的容易にできるものと考えられ、自然に繁殖するフノリ類と同じ環境で養殖することにより、自然に繁茂するフノリ類と変わらなく成長することにつながる。
フクロノリ、マツモなどの海藻の胞子の採取についてもフノリ類と同様に採取を行い、養殖を行えば、自然に繁茂するフクロノリ、マツモなどと変わらなく成長するものと思われる。
更に、効果としては、フノリ類やフクロノリ、マツモなどの養殖は直接ロープに胞子を付着させ、その生育過程においても、コンブ養殖等における間引き作業を行うなどの作業も少なく、他の養殖事業とは違い比較的容易に増養殖を行うことが可能である。
海での養殖が可能となれば、陸上部においてもフノリ類やフクロノリ、マツモなどの海藻の養殖は可能となる。
養殖を陸地で行うことにより、波等による被害がなければ、増産が可能となり、安定的生産体制の確立が図られ、大幅に生産性を高めることにもつながる。
また、養殖用ロープを地形にあわせ、縦・横向きに設置したりするなど、養殖用ロープの太さを変える等の工夫を行えば増産にもつながる。
養殖用ロープが波等による被害を最小限度に留めるために、養殖用ロープを網目状にして、直接、岩やブロック等を囲って、固定する方法で養殖を行えば増産にもつながる。
【図面の簡単な説明】
【０００８】
【図１】フノリ類などの養殖施設を示した平面図である。
【図２】フノリ類などの養殖施設を示した断面図である。
【図３】フノリ類などの養殖施設を示した全体図である。
【図４】フノリ類などの陸上養殖施設を示した平面図である。
【図５】フノリ類などの陸上養殖施設を示した断面図である。
【図６】フノリ類などの養殖用ロープを網目状にした平面図である。
【図７】フノリ類などの胞子の採苗水槽の断面図である。
【発明を実施するための形態】
【０００９】  以下、本発明の実施の形態を図１から図７に基づいて説明する。
【実施例】
【００１０】  フノリの増殖技法としてはこれまで投石事業やコンクリート面造成など、現在においても従来の技術的技法で行われている。
本発明は、海や陸地においてフノリ類やフクロノリ、マツモなどの海藻の胞子を直接養殖用ロープに付着させ養殖を行う養殖技法である。【００１１】  養殖方法としては、フノリ類などの養殖施設の全体図（図３）及びフノリ類などの養殖施設の設置平面図（図１）のように、設置場所によっては縦及び横向きに１胞子を付着させた養殖用ロープを設置する。
養殖用ロープの長さは、設置する海や湾の地形の状況や場所により、長さや太さを調整する。
また、１胞子を付着させた養殖用ロープを結ぶため２支柱を設置し、養殖用ロープと支柱とを３フックにより連結して、胞子を付着させた養殖用ロープが波の力で破損しないように設置し、養殖用ロープに弾力性をもたせて強度を高める、【００１２】  安定的生産体制を確立して、生産性を高めるため、フノリ類などの養殖施設の断面図（図２）に示すように胞子を付着させた養殖用ロープを５段式にしたりするなど多段式に数多くの１養殖用ロープを設置する。
また、より安定的な状況を作るため、海での養殖施設と同様の施設を海岸沿いの陸上部に陸上養殖施設の平面図（図４）及び陸上養殖施設の断面図（図５）のように、人工的にフノリ類などの陸上養殖施設を整備し、フノリ類やフクロノリ、マツモなどの海藻の１胞子を付着させた養殖ロープを設置して、生育繁茂するような環境をつくり養殖を行う。【００１３】  養殖を確かなものにするためには、１胞子を付着させた養殖用ロープが波の力で流されないようにするため、より強固な支柱２を設置する必要がある。
養殖の成否は養殖用ロープが破損されないこと、フノリ類などの１胞子が付着した養殖ロープでフノリ類などが生育することであり、網の目状の目の細いロープを使用するなど胞子が付着しやすいようにする。
また、２支柱を最も安定させる方法は、岩盤に杭を直接打ち込むことが重要であり、腐食した支柱や痛んだ支柱を交換できるようにするため、岩盤に打ち込む固定した４支柱杭を設置して、養殖施設をより強固なものとして施設の破損を防ぐようにする。【００１４】  養殖施設の設置場所については、直接海岸に養殖施設を設置する方法や、海岸に近い陸地に、海から６海水の取水管、７海水の排水管を設置し、海水を直接取水して陸上養殖施設を設置するなど自然的条件や環境を考慮し、養殖施設を整備することが重要となる。【００１５】  フノリ類やフクロノリ、マツモなどの養殖用ロープの破損等を防ぎ、養殖を行うために、５網目状にしたフノリ類などの胞子を付着させた養殖用ロープ（図６）を岩やコンクリートブロック（図６−１）などに固定して養殖を行うなどして、フノリ類などの胞子の付着率を高め生育率を高める。
また、フクロノリの場合には胞子を付着させた養殖用ロープを縦縄しきにしてコンクリートブロックにロープを固定して行うようにするなどの工夫をして養殖を行う。【００１６】  フノリ類の胞子の採取方法としては、採取したフノリ類を半日陰干し、約２０℃位の海水の入った水槽の採苗水槽（図７）にそのフノリ類を入れる。その後、養殖用ロープを水槽に一緒にいれて、フノリ類の胞子を付着させる方法により採取を行う。【００１７】  陸上でフノリ類やフクロノリ、マツモなどの養殖を行うための方法としては、６海水の取水管や７海水の排水管を整備し、海から直接海水を取水し排水を行うなど海水の流れを作り、最も自然環境に近い環境を整え、フノリ類などの養殖を行う陸上養殖施設を整備し行う方法などがある。
また、建物内での養殖を行う場合についても海水の取水管や海水の排水管を整備し、海から直接海水を取水して、陸上養殖施設と同じように環境整備を図り、養殖用ロープなどの設置数を増やして養殖を行うことも可能となる。
【産業上の利用可能性】
【００１８】  フノリの利用については、これまで糊としての活用が主流をなしているが、その半面、産業上の利用では、歯磨き粉や麺類の繋ぎなどにも利用されている。
また、地域によっては食用として味噌汁の具として活用したり、過去においてはシャンプーの替わりに洗髪剤として活用されたり、様々な分野での利用が図られてきた。
フクロノリについてもガムやマツモについては食用として幅広く活用されている。
今後、増養殖が図られ、増産が可能となり安定供給が図られれば、フノリ類などの成分を生かした産業上の利用分野がさらに広がることにもつながる。
【符号の説明】
【００１９】１  胞子を付着させた養殖用ロープ
２  支柱
３  フック
４  支柱杭
５  網目状にした胞子を付着させた養殖用ロープ
６  海水の取水管
７  海水の排水管
８  養殖用ロープを固定するための針金、ゴムバンド等
【図１】
2015112104.tif 000002
【図２】
2015112104.tif 000003
【図３】
2015112104.tif 000004
【図４】
2015112104.tif 000005
【図５】
2015112104.tif 000006
【図６】
2015112104.tif 000007
【図７】
2015112104.tif 000008
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
本発明はフノリ類などの海藻の増養殖に関するもので、その方法として採苗水槽にフノリ類やフクロノリ、マツモなどの母藻を入れ胞子を放出させ、採苗水槽内に養殖用ロープやＵ字型の形状のコンクリート製の増養殖礁、高炉スラグ微粉末や貝殻などの微粉末をセメントと混合したコンクリート製の表壁面を凸凹にした増養殖板を入れて、その表壁面や養殖用ロープにフノリ類やフクロノリ、マツモ等の胞子を固着・育成し、海や海岸、養殖施設などに移動させ養殖を行うという、養殖用ロープや増養殖板を設置した増養殖礁などによるフノリ類やフクロノリ、マツモなどの養殖を行う方法である。
【請求項２】
フノリ類やフクロノリ、マツモなどの養殖用ロープを波などによる破損を防ぎ、安定的な増養殖を行うため、フノリ類やフクロノリ、マツモなどの胞子を付着させた養殖用ロープを網目状にして、岩やブロックなどに固定して養殖を行う方法である。
【手続補正３】
【補正対象書類名】明細書
【補正対象項目名】０００１
【補正方法】変更
【補正の内容】
【０００１】  紅藻類フノリ科フノリ属フノリ（以下、フノリ類という。）は古くから織物などの糊の原料として用いられていた。近年においては、海藻サラダや刺身のツマ、味噌汁などの食用や化粧品の原料として利用が図られるなど、その需要も増加傾向にある。
また、渇藻類カヤモノリ科フクロノリ（以下、フクロノリという。）はガムの原材料として活用され、渇藻類イソガワラ科マツモ（以下、マツモという。）は食用として活用されている。
本考案は、フノリ類やフクロノリ及びマツモなどの海藻を海や海岸に近い陸地などで増養殖を行うことにより、より安定的な養殖による生産を可能とするため、フノリ類やフクロノリ、マツモなどの胞子を養殖用ロープやコンクリート製の増養殖礁の表壁面や増養殖板の表壁面などに固着させて行う養殖の方法に関するものである。
【手続補正４】
【補正対象書類名】明細書
【補正対象項目名】０００６
【補正方法】変更
【補正の内容】
【０００６】  フノリ類やフクロノリ、マツモなどの海藻が広範囲の分野において活用されるためには、安定的な供給が求められる。
その課題を解決するためには、養殖技法の確立をどのようにして図るかということであり、また、産業的活用を図るためにはフノリ類やフクロノリ、マツモなどの海藻の安定的生産体制の確立のみならず、商品としての活用分野や最小のコストでの生産の確立が求められる。
フノリ類、フクロノリ、マツモなどの海藻は成長してもコンブ、ワカメなどのように大きくならない海藻類であり、これらの紅藻や渇藻は成長しても大きくならないのが特徴ともいえる。
褐藻のなかでも、マツモは大きさが８ｃｍ〜２５ｃｍ位、フクロノリは大きさが５ｃｍ〜２０ｃｍ位にしか成長しない。また、紅類のフノリ類については大きさが２ｃｍ〜２０ｃｍ位にしか成長しない。
これに反して、こんぶ、ワカメは大きさが約１ｍ以上にも成長する。
コンブ、ワカメが海中の比較的深いところで成長するのに対し、フノリ類などは海岸の浅瀬で成長するものである。
これらの海藻の特性を考え、その特性を活かした養殖の方法を確立させる必要がある。
このようなことから、様々な課題を解決するための手段として、フノリ類やフクロノリマツモなどの安定的な供給を図るため養殖用ロープやコンクリート製の増養殖礁の表壁面や増養殖板の表壁面などにフノリ類やフクロノリ、マツモ、褐藻類などの胞子を固着させる養殖技法を確立することが課題を解決するための有効な手段となる。
【手続補正５】
【補正対象書類名】明細書
【補正対象項目名】０００７
【補正方法】変更
【補正の内容】
【０００７】  フノリ類やフクロノリ、マツモなどの海藻は、その採取期間が比較的少ない日数で済むことから、その地域における貴重な資源として活用されている。
しかし、長年に経る磯焼けや温暖化現象などにより、年々生産量が減少しており、本考案によるフノリ類やフクロノリ、マツモなどの海藻の養殖技法の確立は将来的に安定的な供給を可能とすることにつながる。
また、フノリ類などの胞子の採取は比較的容易にできるものと考えられ、自然に繁殖するフノリ類と同じ環境で養殖することにより、自然に繁茂するフノリ類と変わらなく成長することにつながる。
フクロノリ、マツモなどの海藻の胞子の採取についてもフノリ類と同様に採取を行い、養殖を行えば、自然に繁茂するフクロノリ、マツモなどと変わらなく成長するものと思われる。更に、効果としては、フノリ類やフクロノリ、マツモなどの養殖は直接ロープやコンクリート製の増養殖礁の表壁面や増養殖板の表壁面などに胞子を固着させて養殖を行うことにより、その生育過程においても、コンブ養殖等における間引き作業を行うなどの作業も少なく、他の養殖事業とは違い比較的容易に増養殖を行うことが可能である。
海での養殖が可能となれば、陸上部においてもフノリ類など海藻の養殖は可能となる。
【手続補正６】
【補正対象書類名】明細書
【補正対象項目名】０００８
【補正方法】変更
【補正の内容】
【０００８】
【図１】フノリ類などの養殖施設を示した平面図である。
【図２】フノリ類などの養殖施設を示した断面図である。
【図３】フノリ類などの養殖用ロープを網目状にした平面図である。
【図４】フノリ類などの増養殖板を設置した増養殖礁の平面図である。
【図５】フノリ類などの胞子の採苗水槽の断面図である。
【手続補正７】
【補正対象書類名】明細書
【補正対象項目名】０００９
【補正方法】変更
【補正の内容】
【０００９】  以下、本発明の実施の形態を図１から図５に基づいて説明する。
【手続補正８】
【補正対象書類名】明細書
【補正対象項目名】００１０
【補正方法】変更
【補正の内容】
【００１０】  フノリの増殖技法としてはこれまで投石事業やコンクリート面造成など、現在においても従来の技術的技法で行われている。
本発明は、海や陸地においてフノリ類やフクロノリ、マツモなどの海藻の胞子を直接養殖用ロープやコンクリート製の増養殖礁の表壁面や増養殖板の表壁面などに付着させ養殖を行う養殖技法である。
【手続補正９】
【補正対象書類名】明細書
【補正対象項目名】００１１
【補正方法】変更
【補正の内容】
【００１１】  養殖方法としては、フノリ類などの養殖施設の設置平面図（図１）のように、設置場所によっては縦及び横向きに１胞子を付着させた養殖用ロープを設置する。
養殖用ロープの長さは、設置する海や湾の地形の状況や場所により、長さや太さを調整する。
また、１胞子を付着させた養殖用ロープを結ぶため２支柱を設置し、養殖用ロープと支柱とを３フックにより連結して、胞子を付着させた養殖用ロープが波の力で破損しないように設置し、養殖用ロープに弾力性をもたせて強度を高める。
【手続補正１０】
【補正対象書類名】明細書
【補正対象項目名】００１２
【補正方法】変更
【補正の内容】
【００１２】  安定的生産体制を確立して、生産性を高めるため、フノリ類などの養殖施設の断面図（図２）に示すように胞子を付着させた養殖用ロープを５段式にしたりするなど多段式に数多くの１養殖用ロープを設置する。
また、より安定的な状況を作るため、海での養殖施設と同様の施設を海岸沿いの陸上部にフノリ類などの陸上養殖施設を整備し、フノリ類やフクロノリ、マツモなどの海藻の１胞子を付着させた養殖ロープを設置して、生育繁茂するような環境をつくり養殖を行う。
【手続補正１１】
【補正対象書類名】明細書
【補正対象項目名】００１３
【補正方法】変更
【補正の内容】
【００１３】  養殖を確かなものにするためには、１胞子を付着させた養殖用ロープが波の力で流されないようにするため、より強固な支柱２を設置する必要がある。
養殖の成否は養殖用ロープが破損されないこと、フノリ類などの１胞子が付着した養殖ロープでフノリ類などが生育することであり、網の目状の目の細いロープを使用するなど胞子が付着しやすいようにする。
また、２支柱を最も安定させる方法は、岩盤に杭を直接打ち込むことが重要であり、腐食した支柱や痛んだ支柱を交換できるようにするため、岩盤に打ち込む固定した４支柱杭を設置して、養殖施設をより強固なものとして施設の破損を防ぐようにする。
【手続補正１２】
【補正対象書類名】明細書
【補正対象項目名】００１４
【補正方法】変更
【補正の内容】
【００１４】  養殖施設の設置場所については、直接海岸に養殖施設を設置する方法や、海岸に近い陸地に、海水を直接取水して陸上養殖施設を設置するなど自然的条件や環境を考慮し、養殖施設を整備することが重要となる。
【手続補正１３】
【補正対象書類名】明細書
【補正対象項目名】００１５
【補正方法】変更
【補正の内容】
【００１５】  フノリ類やフクロノリ、マツモなどの養殖用ロープの破損等を防ぎ、養殖を行うために、５網目状にしたフノリ類などの胞子を付着させた養殖用ロープ（図３）を岩やコンクリートブロック（図３−１）などに６養殖用ロープを針金、フック等で固定して養殖を行うなどして、フノリ類などの胞子の付着率を高め生育率を高める。
また、フクロノリの場合には胞子を付着させた養殖用ロープを縦縄しきにしてコンクリートブロックにロープを固定して行うようにするなどの工夫をして養殖を行う。
【手続補正１４】
【補正対象書類名】明細書
【補正対象項目名】００１６
【補正方法】変更
【補正の内容】
【００１６】  フノリ類の胞子の採取方法としては、採取したフノリ類を半日陰干し、約２０℃位の海水の入った水槽の採苗水槽（図５）にそのフノリ類を入れる。その後、養殖用ロープやコンクリート製の増養殖礁（図４）や、７増養殖板を採苗水槽に一緒に入れて、母藻から放出されたフノリ類の胞子を付着させる。
フクロノリやマツモなどの胞子の採取方法についても、フノリ類の胞子の採取方法と同じような方法で行う。
【手続補正１５】
【補正対象書類名】明細書
【補正対象項目名】００１７
【補正方法】変更
【補正の内容】
【００１７】フノリ類やフクロノリ、マツモなどの海藻を増養殖礁で養殖を行うために、フノリ類などの増養殖板を設置した増養殖礁の平面図（図４）のように、Ｕ字型の形をしたコンクリート製の増養殖礁に高炉スラグ微粉末などをコンクリートと混合したコンクリート製の表壁面に８胞子の着床凸凹面をつくり固着しやすいようにした、７増養殖板を採苗水槽に入れて、採苗水槽内でフノリ類やフクロノリ、マツモなどの海藻の胞子を増養殖板に固着させて増養殖礁に設置し、生育率を高めて海や海岸、養殖施設などに移動させ養殖を行う。
また、増養殖礁は移動を容易にするため、９取手部分をつけ海岸や海などでの安定化を図るため、１１増養殖礁の安定脚や増養殖礁の強度を保つため、１０増養殖礁の支柱を設置する。
【手続補正１６】
【補正対象書類名】明細書
【補正対象項目名】００１９
【補正方法】変更
【補正の内容】
【００１９】１  胞子を付着させた養殖用ロープ
２  支柱
３  フック
４  支柱杭
５  網目状にした胞子を付着させた養殖用ロープ
６  養殖用ロープを固定する針金・フック等
７  増養殖板
８  胞子の着床凸凹面
９  取手
１０  増養殖礁の支柱
１１  増養殖礁の安定脚
【手続補正１７】
【補正対象書類名】図面
【補正対象項目名】全図
【補正方法】変更
【補正の内容】
【図１】
2015112104.tif 000009
【図２】
2015112104.tif 000010
【図３】
2015112104.tif 000011
【図４】
2015112104.tif 000012
【図５】
2015112104.tif 000013